(57)【特許請求の範囲】
【請求項１】
複数の商品選択ボタンに対応して設けられる商品の販売価格を表示する価格表示器を備え、複数の商品収納棚に商品を補充した際に補充した商品が適温になるまで予め設定した時間だけ補充した商品に対応した商品選択ボタンの売切ランプあるいは準備中ランプを点灯させて販売を休止させる自動販売機において、複数の販売休止時間を設定するとともに、補充した商品毎に販売休止時間を設定する設定手段と、該設定手段により設定された販売休止時間を記憶する記憶手段と、販売休止時間を確認するための操作手段と、該操作手段を操作すると、前記売切ランプあるいは準備中ランプが点灯している商品選択ボタンに対応する前記価格表示器の表示を販売価格に替えて販売休止時間を一覧表示させる制御手段とを備えたことを特徴とする自動販売機の表示装置。
【請求項２】
請求項１記載の自動販売機において、販売休止時間は、操作手段が操作された時点での残時間であることを特徴とする自動販売機の表示装置。
【発明の詳細な説明】
【技術分野】
【０００１】
本発明は、補充された商品が適温になるまで所定時間だけ販売を休止するようにした自動販売機の表示装置に関する。
【背景技術】
【０００２】
一般に自動販売機においては、コールド商品あるいはホット商品の冷温商品を販売できるように冷却装置および加熱装置を備えている。
このような自動販売機では、商品収納コラムの商品が無くなると、作業員が商品を補充し、補充した商品について所定時間だけ販売を休止させ、所定時間が経過して適温になった時点で自動的に販売を開始される構成が知られており、この販売を休止させる所定時間についても、商品の中身、容量、ホット商品、コールド商品によって補充してから適温となるまでの時間が異なるため、複数種類の販売休止時間が設定できるようになっている。
また、販売休止中の商品については、商品選択ボタンに内蔵した売切ランプあるいは準備中ランプにて報知する構成が知られている（特許文献１）。
【特許文献１】特開２００２-４９９５４号公報
【発明の開示】
【発明が解決しようとする課題】
【０００３】
ところで、上記従来の方式では、販売休止時間を表示する方式として、売切ランプあるいは準備中ランプを点灯させているだけであるため、補充した商品毎の販売休止時間が判らないという課題が有り、できるだけ容易に販売休止時間を確認できる表示方式が望まれている。
そこで、本発明は、複数種類設定されている販売休止時間の確認を容易に行うことができる自動販売機の表示装置を提供することを目的とする。
【課題を解決するための手段】
【０００４】
本発明は、複数の商品選択ボタンに対応して設けられる商品の販売価格を表示する価格表示器を備え、複数の商品収納棚に商品を補充した際に補充した商品が適温になるまで予め設定した時間だけ補充した商品に対応した商品選択ボタンの売切ランプあるいは準備中ランプを点灯させて販売を休止させる自動販売機において、複数の販売休止時間を設定するとともに、補充した商品毎に販売休止時間を設定する設定手段と、該設定手段により設定された販売休止時間を記憶する記憶手段と、販売休止時間を確認するための操作手段と、該操作手段を操作すると、前記売切ランプあるいは準備中ランプが点灯している商品選択ボタンに対応する前記価格表示器の表示を販売価格に替えて販売休止時間を一覧表示させる制御手段とを備えたことを特徴とする。
また、販売休止時間は、操作手段が操作された時点での残時間であることを特徴とする。
【発明の効果】
【０００５】
本発明は、商品選択ボタン毎に設けられている表示器を使用して、販売休止時間を表示するようにしたので、販売休止時間が複数時間設定されている場合に販売休止時間が一覧できるため、確認作業が容易となるという効果が得られる。
【発明を実施するための最良の形態】
【０００６】
以下に、本発明の一実施の形態を示す図１ないし図３を用いて説明する。
まず、図３は、本発明の実施の対象となる自動販売機の概略正面図の一例を示すものであり、自動販売機３０は、その本体キャビネット前面に外扉３１を備えており、本体キャビネット内には複数（ｎ個）のコラムを備えている。このコラムは、複数種類の商品を個別に収納する一方、商品選択ボタン３８が押され、販売指令が与えられた場合に押された商品選択ボタン３８に対応する商品の搬出を行うものである。
その前面側に外部から視認可能な商品見本３２ａを内部に配列した商品見本展示室３２、硬貨投入口３３、硬貨返却口３４、返却レバー３５、商品取出口３６、金額表示器３７、販売可能ランプ、売切ランプおよび準備中ランプを内蔵する商品選択ボタン３８、販売価格、販売休止時間などの商品に関する情報を表示するＬＥＤなどからなる表示器３８ａが設けられている。
上記商品見本３２ａは、それぞれコラムに収納した商品を現し、商品選択ボタン３８に対応して設けられ、販売価格、販売休止時間などの商品に関する情報を表示する表示器３８ａは、商品選択ボタン３８の上部に設けられ、販売待機状態においては、販売価格を表示するものである。
【０００７】
次に、図１は、本発明の一実施の形態を示す構成ブロック図である。
１は自動販売機全体を制御する主制御部であり、主制御部１には、制御プログラムを格納するメモリ１ａ、設定データ，売上データなど種々のデータを記憶するメモリ１ｂ、タイマ１ｃを備えている。
この主制御部１には、各種設定・確認を行うためのリモコン１１、商品搬出を行う商品搬出装置１２、庫内の商品を冷却あるいは加熱する冷熱装置１３、貨幣処理装置１４、金額表示器３７、販売可能ランプ、売切ランプおよび準備中ランプを内蔵する商品選択ボタン３８、該商品選択ボタン３８毎に設けられ、販売価格、販売休止時間などの商品に関する情報を表示する表示器３８ａが接続されている。
この構成において、販売休止時間の設定は、リモコン１１を用いて、設定モードとすることにより、予め複数種類の販売休止時間を設定してメモリ１ｂに記憶させ、商品補充時にリモコン１１を用い、補充した商品に対応した販売休止時間を設定する。
次に、販売休止時間の確認は、リモコン１１を用いて、販売休止時間の確認モードとすることにより、商品選択ボタン３８毎に設けられている表示器３８ａに販売開始となるまでの残り販売休止時間が表示される。
【０００８】
この構成において、通常販売時には、硬貨が硬貨投入口３３に投入され、表示器３８ａに表示されている販売価格まで投入されると、商品選択ボタン３８の販売可能ランプが点灯し、所望の商品選択ボタン３８を押されると、商品搬出装置１２を駆動して、商品収納コラムから商品取出口３６に商品を搬出することにより、販売が終了する。
次に、図２のフローチャートを用い、販売休止時間の設定・確認操作について、以下にその構成を説明する。
まず、収納されている商品が無くなると、自動販売機３０の外扉３１を開放して、ルート作業員が商品の補充を行うことになり（ステップＳ１，Ｙｅｓ）、商品が無くなっているコラムに商品を補充して、作業員は、リモコン１１を操作して、補充した商品に応じた販売休止時間を設定して、メモリ１ｂに記憶させる（ステップＳ２，Ｙｅｓ）。
次に、自動販売機３０の外扉３１を閉じると、商品選択ボタン３８の図示していない内蔵の売切ランプあるいは準備中ランプを点灯させ、表示器３８ａに販売価格を表示させる。
この状態で、例えば、作業員が販売休止時間の確認のため、自動販売機３０の外扉３１を開け、リモコン１１を操作し、販売休止時間確認モードとすると（ステップＳ３，Ｙｅｓ）、表示器３８ａに販売休止中商品の販売開始までの残り時間である販売休止時間を表示させる（ステップＳ４）。
【０００９】
なお、上記構成は、作業者の確認としての機能であるが、利用者側として、例えば、返却レバー３５を操作することによって、表示器３８ａに販売休止中商品の販売開始までの残り時間である販売休止時間が表示させるようにしてもよい。
また、上記の他に、表示器３８ａを用いて、種々の確認が行えるものであり、以下に順に説明する。
まず、販売テスト時には、選択された商品選択ボタン３８と対応付けられているコラム番号を表示させ、また、商品選択ボタンとコラム番号との対応関係を示すクロス配線設定時には、商品選択ボタン３８の表示器３８ａにコラム番号を表示させ、さらに、交互販売設定時には、交互販売設定されている商品選択ボタン３８とコラム番号を商品選択ボタン３８の表示器３８ａに表示させる。
このように、商品選択ボタン３８毎に設けられる表示器３８ａを用いることにより、種々の設定・確認作業が効率よく行えるものである。
【図面の簡単な説明】
【００１０】
【図１】本発明の一実施の形態である自販機の制御装置を示す構成ブロック図
【図２】本発明の一実施の形態を示すフローチャート
【図３】本発明の対象となる自動販売機の概略正面図
【符号の説明】
【００１１】
１          主制御部
１ａ        メモリ
１ｂ        メモリ
１ｃ        タイマ
１１        リモコン
３０        自動販売機
３１        外扉
３８        商品選択ボタン
３８ａ      表示器
【図１】
0004882981.tif 000002
【図２】
0004882981.tif 000003
【図３】
0004882981.tif 000004